(57)【要約】【課題】カメラの機種によらずに、発光量を自動的かつ適正に調節することができる撮影用発光システムを提供する。【解決手段】撮影用発光システム１０は、発光装置１と、測距装置２と、制御装置３とを備えている。発光装置１は、カメラ４での被写体Ｘ１の撮影時に被写体Ｘ１に光を照射するように構成されている。測距装置２は、被写体Ｘ１から発光装置１までの距離である第１の距離を求めるように構成されている。制御装置３は、測距装置２で求めた第１の距離に基づいて発光装置１の発光量を調節し発光装置１を発光させるように構成されている。【選択図】図１
2015161890.tif 000002
【特許請求の範囲】
【請求項１】
カメラでの被写体の撮影時に前記被写体に光を照射する発光装置と、
前記被写体から前記発光装置までの距離である第１の距離を求める測距装置と、
前記測距装置で求めた前記第１の距離に基づいて前記発光装置の発光量を調節し前記発光装置を発光させる制御装置とを備える
ことを特徴とする撮影用発光システム。
【請求項２】
前記測距装置は、音、電波、光のいずれかを用いた検知波の飛行時間に基づいて前記第１の距離を求めるように構成されている
ことを特徴とする請求項１に記載の撮影用発光システム。
【請求項３】
前記測距装置は、前記検知波を送波する発信機と、当該検知波を受波する受信機とを有し、
前記発信機は前記被写体と前記発光装置との一方側に配置され、前記受信機は他方側に配置されており、
前記測距装置は、前記発信機が前記検知波を送波してから、当該検知波を前記受信機が受波するまでに要した時間に基づいて、前記第１の距離を求めるように構成されている
ことを特徴とする請求項２に記載の撮影用発光システム。
【請求項４】
前記測距装置は、前記検知波を送波する発信機と、当該検知波を受波する受信機とを有し、
前記発信機および前記受信機は前記カメラに設けられており、
前記測距装置は、前記発信機が前記検知波を送波してから、当該検知波が前記被写体で反射されて前記受信機で受波されるまでの時間に基づいて、前記カメラから前記被写体までの距離である参照距離を求め、前記カメラに対する前記発光装置の相対的な位置関係と前記参照距離とを用いて、前記第１の距離を求めるように構成されている
ことを特徴とする請求項２に記載の撮影用発光システム。
【請求項５】
前記発光装置は同一の前記被写体に光を照射する複数の発光部を有し、
前記制御装置は、調節した前記発光量を割当発光量として前記複数の発光部に分配し、分配後の前記割当発光量で前記複数の発光部の各々を発光させるように構成されている
ことを特徴とする請求項１〜４のいずれか１項に記載の撮影用発光システム。
【発明の詳細な説明】
【技術分野】
【０００１】
本発明は、一般に撮影用発光システムに関し、より詳細には撮影のためのストロボの発光量を制御する撮影用発光システムに関する。
【背景技術】
【０００２】
従来、カメラの露出制御に用いる従来技術としては、たとえば特許文献１に記載の技術が提案されている。特許文献１に記載のカメラの露出制御システムは、被写体よりも周囲の方が明るい逆光状態において、ストロボ発光手段を発光させて露出制御を行うように構成されている。
【０００３】
ところで、一般にストロボ（エレクトロニックフラッシュ）のような人工光源を用いて写真撮影を行う場合に、適正光量を得るための方法として、２つの方法が知られている。１つ目の方法として、ストロボの発光量に合わせてカメラ側の調節を行う方法がある。２つ目の方法として、ストロボの発光量を調節する方法がある。前者の方法では、カメラから被写体までの距離に合わせて絞り値（Ｆ値）を変化させ、後者の方法では、カメラから被写体までの距離に合わせて発光量（ガイドナンバー：ＧＮ）を変化させる。いずれの方法でも、発光量「ＧＮ」、絞り値「Ｆ」、被写体までの距離「ｍ」を用いて「ＧＮ＝Ｆ×ｍ」で表される関係式に従って、絞り値あるいは発光量が決定される。
【０００４】
そして、写真の黎明期においては、発光量を調節することが困難であったので、既知の発光量（ＧＮ）と目測で求めた被写体までの距離とを用いて、適正な絞り値を設定する前者の方法が主流であった。しかし、この方法では、被写体までの距離が変わる度に、目測で距離を求めて絞り値を再計算する必要があるので、撮影者に高い熟練度が求められる。
【０００５】
一方、後者の方法を実現する手段としてのオートストロボは、ストロボで照射された被写体からの反射光を、カメラまたはストロボに組み込まれた受光素子が受光し、受光量が所定の条件を満たせば発光を自動的に停止する技術である。オートストロボによれば、ストロボからの光が被写体で反射し、指定した絞り値に合わせた必要十分な光量の光が受光素子に与えられると、ストロボの発光を停止させることで、ストロボの発光量を適正値に調節することができる。
【０００６】
オートストロボには、受光素子がストロボに設けられてストロボだけで発光量を調節できる外光式と、受光素子がカメラに設けられてストロボおよびカメラが連携して発光量を調節するＴＴＬ（Through the Lens）式との２種類の方法がある。
【０００７】
ただし、外光式のオートストロボでは、受光素子の受光角が固定的に決まっているため、カメラの画角と受光素子の受光角の広さとの関係によっては、発光量を適正値に調節できない場合がある。すなわち、受光素子の受光角が適正範囲より広ければ、被写体とは無関係であるカメラ周辺の物体に露出が合い、ストロボの発光量が適正値に比べて不足し、被写体が暗く映ることがある。一方、受光素子の受光角が適正範囲より狭いと、カメラの視野の中央に被写体が無い場合に、ストロボの発光量が適正値に比べて過大になり、被写体の白飛びが生じる可能性がある。
【０００８】
これに対して、ＴＴＬ式のオートストロボでは、撮影用のレンズを通った光を測定することにより、実際にフィルムや撮像素子に入射する光量そのものを測定できる。そのため、ＴＴＬ式のオートストロボでは、カメラの画角に合わせて、発光量を適正値に調節することが可能である。
【先行技術文献】
【特許文献】
【０００９】
【特許文献１】特開２００８−３５３９８号公報
【発明の概要】
【発明が解決しようとする課題】
【００１０】
しかし、ＴＴＬ式のオートストロボは、特定機種のカメラおよびストロボの組み合わせにしか適用できないため、クラシックカメラやプロカメラマンが使用するようなカメラ、写真館のような店舗で使用されているカメラ、マニュアル機等には適用できない。
【００１１】
本発明は上記事由に鑑みて為されており、カメラの機種によらずに、発光量を自動的かつ適正に調節することができる撮影用発光システムを提供することを目的とする。
【課題を解決するための手段】
【００１２】
本発明の第１の形態に係る撮影用発光システムは、カメラでの被写体の撮影時に前記被写体に光を照射する発光装置と、前記被写体から前記発光装置までの距離である第１の距離を求める測距装置と、前記測距装置で求めた前記第１の距離に基づいて前記発光装置の発光量を調節し前記発光装置を発光させる制御装置とを備えることを特徴とする。
【００１３】
第２の形態に係る撮影用発光システムは、第１の形態において、前記測距装置は、音、電波、光のいずれかを用いた検知波の飛行時間に基づいて前記第１の距離を求めるように構成されていることを特徴とする。
【００１４】
第３の形態に係る撮影用発光システムは、第２の形態において、前記測距装置は、前記検知波を送波する発信機と、当該検知波を受波する受信機とを有し、前記発信機は前記被写体と前記発光装置との一方側に配置され、前記受信機は他方側に配置されており、前記測距装置は、前記発信機が前記検知波を送波してから、当該検知波を前記受信機が受波するまでに要した時間に基づいて、前記第１の距離を求めるように構成されていることを特徴とする。
【００１５】
第４の形態に係る撮影用発光システムは、第２の形態において、前記測距装置は、前記検知波を送波する発信機と、当該検知波を受波する受信機とを有し、前記発信機および前記受信機は前記カメラに設けられており、前記測距装置は、前記発信機が前記検知波を送波してから、当該検知波が前記被写体で反射されて前記受信機で受波されるまでの時間に基づいて、前記カメラから前記被写体までの距離である参照距離を求め、前記カメラに対する前記発光装置の相対的な位置関係と前記参照距離とを用いて、前記第１の距離を求めるように構成されていることを特徴とする。
【００１６】
第５の形態に係る撮影用発光システムは、第１〜４のいずれかの形態において、前記発光装置は同一の前記被写体に光を照射する複数の発光部を有し、前記制御装置は、調節した前記発光量を割当発光量として前記複数の発光部に分配し、分配後の前記割当発光量で前記複数の発光部の各々を発光させるように構成されていることを特徴とする。
【発明の効果】
【００１７】
上記第１の形態によれば、制御装置は、測距装置で求めた被写体から発光装置までの距離である第１の距離に基づいて発光装置の発光量を調節し発光装置を発光させるので、カメラの機種によらずに、発光量を自動的かつ適正に調節することができる。
【００１８】
第２の形態によれば、測距装置は、比較的簡単な構成でありながらも、精度よく第１の距離を求めることができ、結果的に、制御装置で求める発光量の精度が高くなる。
【００１９】
第３の形態によれば、測距装置は、検知波の反射を用いず、検知波を発信機−受信機間で直接送受波して第１の距離を求めるので、検知波の反射率などに依存せずに精度よく第１の距離を求めることができ、制御装置で求める発光量の精度が高くなる。
【００２０】
第４の形態によれば、被写体側には発信機、受信機はいずれも不要になり、発信機や受信機が写り込むことを回避できる。
【００２１】
第５の形態によれば、発光装置全体としての発光量は適正な発光量に保ちつつ、複数の発光部間で発光量のバランスを変えることで、簡単に照明効果の変更を行うことができる。
【図面の簡単な説明】
【００２２】
【図１】実施形態１に係る撮影用発光システムの概略図である。
【図２】実施形態１に係る撮影用発光システムの概略平面図である。
【図３】実施形態１の変形例に係る撮影用発光システムの概略平面図である。
【図４】実施形態２に係る撮影用発光システムの概略平面図である。
【図５】実施形態３に係る撮影用発光システムの概略平面図である。
【発明を実施するための形態】
【００２３】
（実施形態１）
本実施形態に係る撮影用発光システム１０は、図１および図２に示すように、発光装置１と、測距装置２と、制御装置３とを備えている。
【００２４】
発光装置１は、カメラ４での被写体Ｘ１の撮影時に被写体Ｘ１に光を照射するように構成されている。測距装置２は、被写体Ｘ１から発光装置１までの距離である第１の距離Ｌ１（図２参照）を求めるように構成されている。制御装置３は、測距装置２で求めた第１の距離Ｌ１に基づいて発光装置１の発光量を調節し発光装置１を発光させるように構成されている。
【００２５】
ここで、測距装置２は、音、電波、光のいずれかを用いた検知波の飛行時間に基づいて第１の距離（被写体Ｘ１から発光装置１までの距離）Ｌ１を求めるように構成されていることが好ましい。なお、検知波として用いられる「音波」は可聴域の音波だけでなく超音波も含み、「光」は可視光だけでなく赤外線なども含む。
【００２６】
以下、本実施形態に係る撮影用発光システム１０について、詳しく説明する。
【００２７】
以下では、撮影用発光システム１０が、写真館のように、スタジオ（写場）で被写体Ｘ１となる人の写真をプロのカメラマン（撮影者）が撮影する店舗に用いられる場合を例として説明する。ただし、本発明に係る撮影用発光システムは、写真館に限らず、各種の撮影スタジオやその他の形態の撮影を行う施設等で使用可能である。また、本発明に係る撮影用発光システムは、写真（静止画）の撮影だけでなく動画の撮影にも使用することができる。被写体Ｘ１は人に限らず、動物や物であってもよい。
【００２８】
まず、発光装置１は、撮影時に使用されるストロボ（エレクトロニックフラッシュ）のような人工光源である。本実施形態においては、発光装置１はスタジオ内の定位置に固定されているが、移動可能な構成であってもよい。
【００２９】
発光装置１は、カメラ４とは別体であって、カメラ４に内蔵あるいは付随のトリガ装置（図示せず）からトリガ信号を受けて発光し、被写体Ｘ１に光を照射する。発光装置１は、電波（あるいは光）を伝送媒体に用いた無線信号によりカメラ（トリガ装置）４と通信可能に構成されており、通信によりカメラ４からトリガ信号を受信する。
【００３０】
発光装置１は、制御装置３からの制御信号に従って発光量（ガイドナンバー：ＧＮ）を調節する機能を有している。ここでいう発光量は、発光装置１から被写体Ｘ１に照射される光の量（光量）であって複数段階の調節が可能である。ここでは一例として、発光量は「−２」〜「＋２」まで１／３刻みで、１３段階の調節が可能であると仮定する。
【００３１】
発光装置１は、制御装置３からの制御信号を受けると、制御信号にて指定される発光量をメモリ（図示せず）に記憶し、スタンバイ状態となる。発光装置１は、スタンバイ状態でトリガ信号を受けることにより、メモリに記憶されている発光量で発光する。発光装置１は、制御装置３から終了信号を受けることによりスタンバイ状態を終了する。
【００３２】
発光装置１は、光を拡散反射する反射部材としてのアンブレラ５と組み合わせて用いられる。発光装置１は、アンブレラ５に固定されており、アンブレラ５に向けて光を照射することにより、アンブレラ５で反射された光を被写体Ｘ１に照射する。アンブレラ５の材質、形状などは任意に選択可能である。
【００３３】
測距装置２は、上述したように音、電波、光のいずれかを用いた検知波の飛行時間に基づいて、被写体Ｘ１−発光装置１間の距離（第１の距離）Ｌ１を求める装置である。つまり、測距装置２は、ＴＯＦ（Time of Flight）法を利用して、検知波が測距対象の２点（被写体Ｘ１、発光装置１）間を飛ぶのに要した時間（飛行時間）に基づいて２点間の距離を求める。本実施形態では、測距装置２は検知波として所定周波数の超音波を用いると仮定する。
【００３４】
具体的には、本実施形態では、測距装置２は、検知波（ビーコン）を送波する発信機２１と、検知波を受波する受信機２２とを有している。発信機２１は被写体Ｘ１と発光装置１との一方側に配置され、受信機２２は他方側に配置されている。本実施形態では、発信機２１が発光装置１側に配置され、受信機２２が被写体Ｘ１側に配置された場合を例示する。
【００３５】
ここで、発信機２１、受信機２２の配置について、「発光装置１側」とは、被写体Ｘ１−発光装置１間の実際の距離と、測距装置２で求まる距離Ｌ１との誤差が許容範囲で収まる程度に発光装置１の近傍であって、たとえば発光装置１から５０ｃｍ程度の範囲を指す。同様に、「被写体Ｘ１側」とは、被写体Ｘ１−発光装置１間の実際の距離と、測距装置２で求まる距離Ｌ１との誤差が許容範囲で収まる程度に発光装置１の近傍であって、たとえば被写体Ｘ１から５０ｃｍ程度の範囲を指す。
【００３６】
発信機２１は、発光装置１に対して外付けされる形で固定されているが、発光装置１に内蔵されていてもよく、あるいは発光装置１の近傍に配置（たとえばアンブレラ５に固定）されていてもよい。また、受信機２２は、被写体Ｘ１の手前（カメラ４側）でアシスタントＸ２（図１参照）に持たせているが、被写体Ｘ１に持たせてもよいし、被写体Ｘ１の衣服や小物に取り付けられていてもよい。
【００３７】
測距装置２は、発信機２１が検知波を送波してから、検知波を受信機２２が受波するまでに要した時間に基づいて、被写体Ｘ１−発光装置１間の距離（第１の距離）Ｌ１を求めるように構成されている。そのため、発信機２１と受信機２２とでタイミングの同期をとる必要がある。
【００３８】
そこで、本実施形態では、受信機２２は、電波（あるいは光）を伝送媒体に用いた無線信号により発信機２１と通信するように構成されている。そして、受信機２２に設けられている測距ボタン（図示せず）が操作されると、受信機２２は、同期信号を通信により発信機２１へ送信する。発信機２１は、同期信号を受けるとパルス状の検知波を送波するように構成されている。受信機２２は、同期信号を送信後、タイマ（図示せず）を駆動して検知波を受波するまでに要した時間を計測する。
【００３９】
これにより、受信機２２は、発信機２１が検知波を送波してから、検知波を受信機２２が受波するまでに要した飛行時間を計測することができる。受信機２２は、計測された飛行時間と検知波の速度（ここでは音速）との積を演算することにより、被写体Ｘ１−発光装置１間の距離（第１の距離）Ｌ１を求めるように構成される。
【００４０】
受信機２２は、電波（あるいは光）を伝送媒体に用いた無線信号により制御装置３とも通信可能に構成されている。受信機２２は、上述のようにして距離Ｌ１が求まると、求めた距離Ｌ１の情報を、通信により制御装置３へ送信する。
【００４１】
制御装置３は、本実施形態ではマイコン（マイクロコンピュータ）を主構成としており、メモリ（図示せず）に記憶されているプログラムを実行することによって適宜の機能を実現する。プログラムは、制御装置３の工場出荷前に予めメモリに書き込まれていることとするが、これに限らず、メモリカード等の記憶媒体に記憶されて、あるいは電気通信回線を通じて提供されてもよい。
【００４２】
そして、制御装置３は、測距装置（受信機２２）２から距離Ｌ１の情報を受信すると、この距離Ｌ１に基づいて発光装置１の発光量を決定（調節）するように構成されている。具体的には、制御装置３は、撮影者が制御装置３の操作部３１（図１参照）を操作して指定した絞り値（Ｆ値）や感度（ＩＳＯ感度）と共に、距離Ｌ１を用いて発光量を決定する。適正な発光量「ＧＮ」は、絞り値「Ｆ」、被写体までの距離「ｍ」を用いて「ＧＮ＝Ｆ×ｍ」で表されるので、制御装置３は、指定された絞り値と第１の距離Ｌ１との積から、適正な発光量を自動的に決定する。
【００４３】
制御装置３は、電波（あるいは光）を伝送媒体に用いた無線信号により発光装置１と通信可能に構成されている。制御装置３は、上述のようにして発光量が決定すると、決定した発光量の情報を、通信により制御信号として発光装置１へ送信する。また、制御装置３は、操作部３１に対する特定の操作を受けて、通信により発光装置１へ終了信号を送信するように構成されている。
【００４４】
なお、本実施形態では受信機２２と、発信機２１、制御装置３との間の通信手段として、電波（あるいは光）を伝送媒体に用いた無線通信方式を利用しているが、この例に限る趣旨ではなく、有線通信方式を含む任意の通信方式を適用可能である。同様に、制御装置３と発光装置１との間の通信手段、カメラ（トリガ装置）４と発光装置１との間の通信手段についても、無線通信方式、有線通信方式に関わらず、任意の通信方式を適用可能である。
【００４５】
また、本実施形態では、制御装置３は測距装置２と別体であるが、受信機２２あるいは発信機２１と一体化されていてもよい。さらにまた、制御装置３は、発光装置１またはカメラ４と一体化されていてもよい。発信機２１あるいは受信機２２は、発光装置１に内蔵されていてもよい。
【００４６】
また、図１の例においては、演出用に補助発光装置７が設けられている。補助発光装置７は、たとえば被写体Ｘ１の足元を照らすように設けられている。補助発光装置７は、発光装置１とは異なり、常に発光量がマニュアル制御されるのであって、発光装置１のように発光量が自動的に調節されることはない。
【００４７】
次に、上述した構成の撮影用発光システム１０の動作について説明する。
【００４８】
まず、アシスタントＸ２（または被写体Ｘ１あるいは撮影者）が受信機２２の測距ボタンを操作することで、測距装置２は、被写体Ｘ１−発光装置１間の距離Ｌ１の計測を開始する。測距装置２は、距離Ｌ１が求まると、距離Ｌ１の情報を自動的に制御装置３へ送信する。
【００４９】
制御装置３は、距離Ｌ１に基づいて適正な発光量を決定する。このとき、制御装置３は、撮影者が指定した絞り値（たとえば「Ｆ８．０」）等も用いて、適正な発光量を計算する。制御装置３は、適正な発光量が求まると、発光量の情報を制御信号として自動的に発光装置１へ送信する。これにより、発光装置１は発光量が調節され、スタンバイ状態となる。
【００５０】
その後、カメラ４のシャッタボタンが押されると、カメラ（トリガ装置）４から発光装置１へトリガ信号が送信される。スタンバイ状態にある発光装置１は、トリガ信号を受けると、調節後の発光量で発光し、被写体Ｘ１に光を照射する。なお、アシスタントＸ２が写真に写り込むことがないように、カメラ４のシャッタボタンは、受信機２２を持ったアシスタントＸ２がカメラ４の視野外へ退避した状態で操作される。
【００５１】
撮影用発光システム１０は、被写体Ｘ１の位置が変わる度に上述した動作を繰り返すことにより、移動後の被写体Ｘ１の位置に応じた適正な発光量を実現することができる。
【００５２】
なお、制御装置３は、決定した発光量の情報をメモリに記憶する構成であってもよい。この場合、制御装置３は、操作部３１の操作に応じて、メモリに記憶されている発光量の情報を必要に応じて読み出し、制御信号として発光装置１へ送信することができる。これにより、被写体Ｘ１の位置が同じであれば、その都度、測距装置２で距離Ｌ１を計測しなくても、発光装置１の発光量を適正な発光量に調節することができる。
【００５３】
以上説明した本実施形態の撮影用発光システム１０によれば、測距装置２が被写体Ｘ１から発光装置１までの距離（第１の距離）Ｌ１を求め、制御装置３は、測距装置２で求めた距離Ｌ１に基づいて発光装置１の発光量を調節し発光装置１を発光させる。したがって、ＴＴＬ式のオートストロボに対応しない任意の機種のカメラ４を用いても、発光装置１の発光量を適正に調節することができる。
【００５４】
また、従来のオートストロボでは、カメラの性能によっては、逆光状態などにおいて受光素子が飽和したり、誤作動を起こしたりすることがある。これに対し、本実施形態の撮影用発光システム１０では、測距装置２による測距が正しく行われれば、適正な発光量を得ることができる。
【００５５】
要するに、本実施形態の撮影用発光システム１０は、カメラ４の機種によらずに、発光量を自動的かつ適正に調節することができる、という利点がある。
【００５６】
また、本実施形態では、測距装置２は、音、電波、光のいずれかを用いた検知波の飛行時間に基づいて被写体Ｘ１−発光装置１間の距離（第１の距離）Ｌ１を求めるように構成されている。この構成によれば、測距装置２は、比較的簡単な構成でありながらも、精度よく被写体Ｘ１−発光装置１間の距離Ｌ１を求めることができ、結果的に、制御装置３で求める発光量の精度が高くなる。
【００５７】
さらに、本実施形態のように、発信機２１は被写体Ｘ１と発光装置１との一方側に配置され、受信機２２は他方側に配置されていることが好ましい。この場合、測距装置２は、発信機２１が検知波を送波してから、検知波を受信機２２が受波するまでに要した時間に基づいて、距離Ｌ１を求めるように構成される。この構成によれば、測距装置２は、検知波の反射を用いず、検知波を発信機２１−受信機２２間で直接送受波して距離Ｌ１を求めるので、検知波の反射率などに依存せずに精度よく距離Ｌ１を求めることができ、制御装置３で求める発光量の精度が高くなる。
【００５８】
ところで、本実施形態の変形例として、測距装置２は、図３に示すように、発光装置１側に受信機２２が配置され、被写体Ｘ１側に発信機２１が配置された構成であってもよい。つまり、変形例に係る撮影用発光システムは、発信機２１、受信機２２の位置関係が上記実施形態と逆である。
【００５９】
この変形例であっても、測距装置２は、上記実施形態と同様に、発信機２１が検知波を送波してから、検知波を受信機２２が受波するまでに要した時間に基づいて、被写体Ｘ１−発光装置１間の距離（第１の距離）Ｌ１を求めるように構成されている。そして、受信機２２は、距離Ｌ１が求まると、求めた距離Ｌ１の情報を、通信により制御装置３へ送信する。
【００６０】
なお、撮影用発光システム１０は、撮影前に発光装置１の発光量を予め調節する構成に限らず、撮影時に、リアルタイムで距離Ｌ１の計測から発光量の調節まで行うように構成されていてもよい。この場合には、被写体Ｘ１側の受信機２２あるいは発信機２１が写真に写り込むことになるので、受信機２２あるいは発信機２１は、被写体Ｘ１の衣服や小物に取り付けられる構成とし、さらにはアクセサリーなどを模したデザインとすることが好ましい。
【００６１】
（実施形態２）
本実施形態に係る撮影用発光システム１０は、測距装置２が被写体Ｘ１での検知波の反射を利用して、被写体Ｘ１−発光装置１間の距離（第１の距離）Ｌ１を求める点で、実施形態１の撮影用発光システム１０と相違する。以下、実施形態１と同様の構成については共通の符号を付して適宜説明を省略する。
【００６２】
すなわち、本実施形態の撮影用発光システム１０は、図４に示すように、発信機および受信機を備えた測距装置２はカメラ４に設けられている。つまり、実施形態１では発光装置１側と被写体Ｘ１側とに分かれて設けられていた発信機２１（図２参照）および受信機２２（図２参照）は、本実施形態ではいずれもカメラ４に設けられている。
【００６３】
そして、本実施形態の測距装置２は、発信機２１が検知波を送波してから、検知波が被写体Ｘ１で反射されて受信機２２で受波されるまでの時間に基づいて、カメラ４から被写体Ｘ１までの距離である参照距離Ｌ１１を求めるように構成されている。さらに、測距装置２は、カメラ４に対する発光装置１の相対的な位置関係と参照距離Ｌ１１とを用いて、被写体Ｘ１−発光装置１間の距離（第１の距離）Ｌ１を求めるように構成されている。
【００６４】
すなわち、発光装置１、カメラ４、被写体Ｘ１は三角形の各頂点に位置している。そのため、カメラ４の正面に位置する被写体Ｘ１−カメラ４間の距離（参照距離）Ｌ１１さえ求まれば、カメラ４に対する発光装置１の相対的な位置関係より、三角法を用いて、被写体Ｘ１−発光装置１間の距離（第１の距離）Ｌ１が求まることになる。
【００６５】
ここで、発光装置１の位置、カメラ４の位置がいずれも固定されている場合には、カメラ４に対する発光装置１の相対的な位置関係は既知であり、たとえば測距装置２のメモリ（図示せず）に予め記憶されている。つまり、カメラ４から見た発光装置１の方向（カメラ４−発光装置１を結ぶ直線とカメラ４の光軸との間の角度θ１）と、カメラ４−発光装置１間の距離Ｌ１２は既知である。したがって、測距装置２は、これら角度θ１、距離Ｌ１２、参照距離Ｌ１１に基づいて、三角法により被写体Ｘ１−発光装置１間の距離（第１の距離）Ｌ１を求めることができる。
【００６６】
一方、発光装置１、カメラ４のいずれかが可動式である場合には、図４に示すような測位装置６を用いれば、カメラ４に対する発光装置１の相対的な位置関係を求めることができる。
【００６７】
測位装置６は、発光装置１に設けた発信機６１と、カメラ４に設けた受信機６２とを有し、発信機６１から送波される測位用検知波（音、電波、光）の受信機６２で受波することにより、カメラ４に対する発光装置１の相対的な位置関係を求める。具体的には、測位装置６は、発信機６１が測位用検知波を送波してから、測位用検知波が受信機６２で受波されるまでに要した時間、並びに受信機６２へ測位用検知波が飛来した方向に基づいて、距離Ｌ１２、角度θ１を求める。受信機６２は、アレイセンサを用いることで、測位用検知波の飛来した方向を特定できる。
【００６８】
なお、測位装置６で用いられる測位用検知波と、測距装置２で用いられる検知波とは、周波数等が異なっており、互いに混信せずに区別される。
【００６９】
以上説明した本実施形態によれば、測距装置２が被写体Ｘ１での検知波の反射を利用して、被写体Ｘ１−発光装置１間の距離（第１の距離）Ｌ１を求めるので、測距装置２の発信機２１および受信機２２はいずれもカメラ４に設けることができる。したがって、被写体Ｘ１側には、発信機２１、受信機２２はいずれも不要になり、発信機２１や受信機２２が写真に写り込むことを回避できる。
【００７０】
その他の構成および機能は実施形態１と同様である。
【００７１】
（実施形態３）
本実施形態に係る撮影用発光システム１０は、図５に示すように、発光装置１が同一の被写体Ｘ１に光を照射する複数の発光部１１，１２を有する点で、実施形態１の撮影用発光システム１０とは相違する。以下、実施形態１と同様の構成については、共通の符号を付して適宜説明を省略する。
【００７２】
すなわち、本実施形態では発光装置１は多灯式である。図５の例では、発光装置１は第１の発光部１１と第２の発光部１２との２灯のみであるが、３灯以上であってもよい。多灯式の場合、実効発光量（実効ガイドナンバー）「ＧＮ」は、各発光部１１，１２の発光量「ＧＮ１」，「ＧＮ２」を用いて数１の式で表される。
【００７３】
【数１】
2015161890.tif 000003
【００７４】
そこで、本実施形態では、制御装置３は、調節した発光量（実効発光量）を割当発光量として複数の発光部１１，１２に分配し、分配後の割当発光量で複数の発光部１１，１２の各々を発光させるように構成されている。
【００７５】
具体的には、測距装置２は、第１の発光部１１と第２の発光部１２との各々に発信機２１を有している。つまり、第１の発光部１１には第１の発信機２１１が、第２の発光部１２には第２の発信機２１２が設けられている。測距装置２は、第１の発信機２１１−受信機２２間の検知波の送受波により、第１の発光部１１−被写体Ｘ１間の距離Ｌ１を求める。同様に、測距装置２は、第２の発信機２１２−受信機２２間の検知波の送受波により、第２の発光部１２−被写体Ｘ１間の距離Ｌ２を求める。
【００７６】
制御装置３は、測距装置２で得られた第１の発光部１１−被写体Ｘ１間の距離Ｌ１に基づいて、第１の発光部１１の適正な発光量を求める。同様に、制御装置３は、測距装置２で得られた第２の発光部１２−被写体Ｘ１間の距離Ｌ２に基づいて、第２の発光部１２の適正な発光量を求める。これら２つの発光量を上記数１の式に代入することで、制御装置３は実効発光量を求める。
【００７７】
さらに制御装置３は、求めた実効発光量を割当発光量として第１の発光部１１、第２の発光部１２に分配し、分配後の割当発光量を複数の発光部１１，１２にそれぞれ制御信号として送信する。これにより、第１の発光部１１、第２の発光部１２は、それぞれ適正な発光量で発光することになる。
【００７８】
ここで、制御装置３は、上記数１の式で表される実効発光量が適正な発光量（調節された発光量）を維持するように、複数の発光部１１，１２間で配分を自由に変更させることができる。すなわち、複数の発光部１１，１２の各発光量の総和が適正な発光量であれば、複数の発光部１１，１２間で発光量のバランスを変えることは自由である。
【００７９】
以上説明した本実施形態の構成によれば、発光装置１全体としての発光量は適正な発光量に保ちつつ、複数の発光部１１，１２間で発光量のバランスを変えることにより、簡単に照明効果の変更を行うことができる。
【００８０】
その他の構成および機能は実施形態１と同様である。また、本実施形態の構成は、実施形態２の構成と組み合わせて適用することも可能である。
【符号の説明】
【００８１】
１  発光装置
２  測距装置
２１  発信機
２２  受信機
３  制御装置
４  カメラ
１０  撮影用発光システム
Ｌ１  第１の距離
Ｘ１  被写体
【図１】
2015161890.tif 000004
【図２】
2015161890.tif 000005
【図３】
2015161890.tif 000006
【図４】
2015161890.tif 000007
【図５】
2015161890.tif 000008